(57)【要約】  スライドカバー（１０）は、その前縁及び後縁よりも前後方向の中央部の位置が高くなるように湾曲している。光ディスクを配置するためのディスク収容部（２２ａ）は、閉位置にあるスライドカバー（１０）によって覆われる。ディスク収容部（２２ａ）には、光ディスクの中心穴に嵌められ光ディスクを回転させる回転駆動部（７ａ）が設けられている。この電子機器によれば、コストを低減でき、また、ユーザによる光ディスクの設置作業を容易化できる。
2013154041.tif 000002
【特許請求の範囲】
【請求項１】
前縁及び後縁よりも前後方向の中央部の位置が高くなるように前記前縁から前記後縁に亘って湾曲している上面と、
前記上面の一部を構成するカバーであって、当該カバーの前縁及び後縁よりも前後方向の中央部の位置が高くなるように前記上面に合わせて湾曲し、開位置と閉位置との間でスライド可能なスライドカバーと、
前記閉位置にあるスライドカバーによって覆われる、光ディスクを配置するためのディスク収容部と、
前記ディスク収容部に設けられ、前記光ディスクの中心穴に嵌められ前記光ディスクを回転させる回転駆動部と、
を備えることを特徴とする電子機器。
【請求項２】
請求項１に記載の電子機器において、
前記スライドカバーは、当該スライドカバーの一方側に設けられる第1のパネルと、当該スライドカバーの他方側に設けられる第２のパネルとの間でスライド可能となっており、
前記電子機器の上面には、前記第1のパネルに沿って形成され、前記スライドカバーをガイドする第1のガイド部と、前記第２のパネルに沿って形成され、前記スライドカバーをガイドする第２のガイド部と、が設けられている、
ことを特徴とする電子機器。
【請求項３】
請求項１に記載の電子機器において、
前記電子機器の上面の前部を構成するフロントパネルと、前記電子機器の上面の後部を構成するリアパネルとを備え、
前記スライドカバーは前記フロントパネルと前記リアパネルとの間で左右方向にスライド可能となっている、
ことを特徴とする電子機器。
【請求項４】
請求項３に記載の電子機器において、
前記フロントパネルと前記スライドカバーは面一となるように配置され、
前記フロントパネルは、当該フロントパネルの後縁に、斜め後方且つ下方に向いた斜面を有している、
ことを特徴とする電子機器。
【請求項５】
請求項３又は４に記載の電子機器において、
前記リアパネルと前記スライドカバーは面一となるように配置され、
前記リアパネルは、当該リアパネルの前縁に、斜め前方且つ下方に向いた斜面を有している、
ことを特徴とする電子機器。
【請求項６】
請求項１に記載の電子機器において、
前記スライドカバーの前方に位置し、前記スライドカバーとともに前記電子機器の湾曲した上面を構成するフロントパネルと、
前記フロントパネルが取り付けられる上面を有するフロントインナーパネル部を有するハウジングと、を備え、
前記フロントインナーパネル部は前記フロントパネルに合わせて湾曲している、
ことを特徴とする電子機器。
【請求項７】
請求項６に記載の電子機器において、
前記ハウジングは、前記スライドカバーが上側に配置されるアッパーパネル部を備え、
前記フロントインナーパネル部は前記アッパーパネル部から前方に延びており、
前記アッパーパネル部の前縁と前記フロントパネルの後縁との間には隙間が形成され、
前記フロントインナーパネル部は前記フロントパネルとの間に隙間を有する部分を含み、
前記フロントインナーパネル部の前記部分には前記ハウジングの内側に繋がる通気穴が形成されている、
ことを特徴とする電子機器。
【請求項８】
請求項１に記載の電子機器において、
前記スライドカバーの後方に位置し、前記スライドカバーとともに前記電子機器の湾曲した上面を構成するリアパネルと、
前記リアパネルが取り付けられる上面を有するリアインナーパネル部を有するハウジングと、をさらに備え、
前記リアインナーパネル部は前記リアパネルに合わせて湾曲している、
ことを特徴とする電子機器。
【請求項９】
請求項８に記載の電子機器において、
前記ハウジングは、前記スライドカバーが上側に配置されるアッパーパネル部をさらに備え、
前記リアインナーパネル部は前記アッパーパネル部から後方に延びており、
前記アッパーパネル部の後縁と前記リアパネルの前縁との間には隙間が形成され、
前記リアインナーパネル部は前記リアパネルとの間に隙間を有する部分を含み、
前記リアインナーパネル部の前記部分には前記ハウジングの内側に繋がる通気穴が形成されている、
ことを特徴とする電子機器。
【請求項１０】
請求項３に記載の電子機器において、
前記スライドカバーは左右方向にスライド可能であり、
前記電子機器は、前記フロントパネルと前記リアパネルとの間に位置するアッパーパネル部をさらに備え、
前記アッパーパネル部は、前記スライドカバーが開位置にあるときに当該スライドカバーによって覆われ、前記スライドカバーに合わせて湾曲した板状のサイド部を有し、
前記サイド部の上面には左右方向に延びる複数の溝が形成されている、
ことを特徴とする電子機器。
【発明の詳細な説明】
【技術分野】
【０００１】
本発明は、光ディスクを利用可能な電子機器に関する。
【背景技術】
【０００２】
従来、光ディスクに格納されたデータを再生したり、光ディスクに格納されたプログラムを実行する電子機器が利用されている（例えば、米国特許第７６８７７１１号明細書）。特許文献１の電子機器には、光ディスクを挿入するためのスロットが設けられている。
【発明の概要】
【０００３】
スロットを有する電子機器は、その内部に、スロットに挿入された光ディスクを電子機器内に搬送するローディング機構を必要とする。このような機構は比較的高価な部品を含むため、電子機器のコストを増す要因となっている。
【０００４】
本発明の一形態に係る電子機器は、前縁及び後縁よりも前後方向の中央部の位置が高くなるように前記前縁から前記後縁に亘って湾曲している上面と、前記上面の一部を構成するカバーであって、当該カバーの前縁及び後縁よりも前後方向の中央部の位置が高くなるように前記上面に合わせて湾曲し、開位置と閉位置との間でスライド可能なスライドカバーと、前記閉位置にあるスライドカバーによって覆われる、光ディスクを配置するためのディスク収容部と、前記ディスク収容部に設けられ、前記光ディスクの中心穴に嵌められ前記光ディスクを回転させる回転駆動部と、を備える。
【０００５】
上記電子機器によれば、ローディング機構を要しないので、コストの低減を図ることができる。また、ディスク収容部を覆うカバーが湾曲しているので、回転駆動部の高さを増すことができる。その結果、ユーザによる光ディスクの設置作業を容易化できる。
【図面の簡単な説明】
【０００６】
【図１】本発明の実施形態に係る電子機器の斜視図である。この図ではスライドカバーは閉位置に配置されている。
【図２】本発明の実施形態に係る電子機器の斜視図である。この図ではスライドカバーは開位置に配置されている。
【図３】電子機器の側面図である。
【図４】電子機器の平面図である。
【図５】図４に示すＶ−Ｖ線を切断面とする、スライドカバーが閉位置に配置されている状態の断面図である。
【図６】図４に示すＶＩ−ＶＩ線を切断面とする、スライドカバーが閉位置に配置されている状態の断面図である。
【図７】図４に示すＶＩＩ−ＶＩＩ線を切断面とする、スライドカバーが閉位置に配置されている状態の断面図である。
【図８】右側のサイドパネルを取り外した状態を示す斜視図である。
【図９】図４に示すＩＸ−ＩＸ線での断面図である。
【発明を実施するための形態】
【０００７】
以下、本発明の一実施形態について説明する。図１及び図２は本発明の実施形態に係る電子機器１の斜視図である。電子機器１はスライドカバー１０を備えている。図１ではスライドカバー１０は閉位置に配置され、図２ではスライドカバー１０は開位置に配置されている。図３は電子機器１の側面図である。図４は電子機器１の平面図である。図４ではスライドカバー１０は開位置に配置されている。図５は図４に示すＶ−Ｖ線を切断面とする、スライドカバー１０が閉位置に配置されている状態の断面図である。図６は図４に示すＶＩ−ＶＩ線を切断面とする、スライドカバー１０が閉位置に配置されている状態の断面図である。図７は図４に示すＶＩＩ−ＶＩＩ線を切断面とする、スライドカバー１０が閉位置に配置されている状態の断面図である。以下の説明においては、これらの図に示すＸ１及びＸ２をそれぞれ左方向及び右方向とし、Ｙ１及びＹ２をそれぞれ前方及び後方とし、Ｚ１及びＺ２をそれぞれ上方及び下方とする。
【０００８】
図１に示すように、電子機器１は、その上面に、スライドカバー１０と、後述するフロントパネル２とリアパネル３とハウジング２０が有する第２サイド部２２Ｂとを有している。図３に示すように、電子機器１の上面は、その前縁１ｂと後縁１ｃよりも、当該上面の前後方向の中央部の位置が高くなるように湾曲している。電子機器１の上面は前縁１ｂから後縁１ｃに亘って湾曲している。すなわち、電子機器１の上面は前縁１ｂから後縁１ｃに至る全域で湾曲している。この例の電子機器１は、左右方向に沿った軸線Ｃ１（図１参照）を有する略楕円柱状の上部１Ａを有している。電子機器１の上部１Ａの側面は楕円形であり、長軸Ａを有している。この例では、長軸Ａと軸線Ｃ１とを含む平面は水平である。すなわち、長軸Ａと軸線Ｃ１とを含む平面は電子機器１の底面（具体的には後述する下部１Ｂの底面）と平行である。電子機器１の上面は、楕円柱の外周面のうち、長軸Ａと軸線Ｃ１とを含む平面よりも上側の部分を構成している。
【０００９】
この例の電子機器１は箱状の下部１Ｂを有している。図３に示すように、上部１Ａの前部は下部１Ｂの前面よりも前方に張り出している。また、下部１Ｂは上部１Ａに対して右方向又は左方向のうち一方にオフセットしている。この例では、下部１Ｂは上部１Ａに対して左方向にオフセットしている。下部１Ｂの左側面の左右方向における位置は上部１Ａの左側面の位置に一致している。そして、電子機器１はそれらの左側面を下側にして、立てた状態で使用できる。上部１Ａの右側部分は下部１Ｂの右側面よりも右方向に張り出している。
【００１０】
電子機器１は、電子機器１が備える部品や装置を収容するハウジング２０を有している。図５では、部品や装置の例として、回路基板６と電源ユニット４とが示されている。この例の電源ユニット４は、回路基板４ａと回路基板４ａを収容するケース４ｂとを有している。ケース４ｂには排気口４ｃが形成されている。排気口４ｃはハウジング２０の後壁に形成された開口から露出している。
【００１１】
ハウジング２０は上下方向において組み合わされる上ハウジング２１と下ハウジング２９とを有している。電子機器１は、光ディスクＤに格納されたプログラムを実行したり、光ディスクＤに格納された動画像や音声を再生するエンタテインメント装置である。上ハウジング２１には光ディスクＤを収容するための凹部であるディスク収容部２２ａが形成されている。ディスク収容部２２ａの底部にはディスクドライブ７が配置されている。ディスクドライブ７は、光ディスクＤの中心穴に嵌められ光ディスクＤを回転させる回転駆動部７ａを有している。回転駆動部７ａはディスクドライブ７が備えるスピンドルモータによって回転する。回転駆動部７ａには、光ディスクＤの中心穴の内周縁に引っ掛かる爪部を有し、光ディスクＤを回転駆動部７ａに固定するチャッキング機構（不図示）が設けられている。また、ディスクドライブ７は光ディスクＤに光を照射し、光ディスクＤに記録されたデータを読み取るピックアップユニット７ｂを有している（図２参照）。
【００１２】
スライドカバー１０は、ディスク収容部２２ａを覆う閉位置（図１）と、ディスク収容部２２ａを露出させる開位置（図２）との間で、左右方向においてスライド可能である。スライドカバー１０は、上述した電子機器１の上面に合わせて湾曲している。すなわち、スライドカバー１０は、その前後方向の中央部の位置がその前縁及び後縁に比して高くなるように湾曲している。このようなスライドカバー１０によれば、スライドカバー１０を平らな板状にする場合に比してディスク収容部２２ａの底部とスライドカバー１０との距離を確保し易くなる。その結果、回転駆動部７ａの高さｈ（図５参照）を増すことが可能となり、ユーザが光ディスクＤを回転駆動部７ａに嵌めたり、回転駆動部７ａから光ディスクＤを取り外したりする作業を容易化できる。
【００１３】
図５に示すように、回転駆動部７ａは、スライドカバー１０における最も高い位置である頂部Ｐ１の下方に位置している。この例ではスライドカバー１０の頂部Ｐ１は、電子機器１の上面の頂部に一致している。回転駆動部７ａは頂部Ｐ１の下方に位置している。すなわち、回転駆動部７ａの中心線Ｃ２は頂部Ｐ１を通っている。そのため、回転駆動部７ａの高さをさらに容易に増すことができる。また、回転駆動部７ａに設けられるチャッキング機構の構造の自由度を増すことができる。
【００１４】
電子機器１の上面の頂部は当該上面の前後方向の中央部に位置している。したがって、この例では、回転駆動部７ａは電子機器１の前後方向の中央部に位置している。図４に示すように、ディスクドライブ７は前後方向に対して斜めに配置されている。すなわち、ディスクドライブ７の長手方向Ｄ１は電子機器１の前後方向に対して傾斜している。ディスクドライブ７のこのような配置により、回転駆動部７ａを電子機器１の前後方向の中央部に位置させながら、電子機器１の前後方向の幅を低減できる。
【００１５】
上述したように、電子機器１は、その上面を構成する部材として、スライドカバー１０の一方側（この例では前側）に位置するパネル２（以下においてフロントパネル）とスライドカバー１０の他方側（この例では後側）に位置するパネル３（以下においてリアパネル）とを有している。スライドカバー１０はフロントパネル２とリアパネル３との間でスライド可能となっている。図３に示すように、フロントパネル２は電子機器１の上面の前部を構成し、リアパネル３は電子機器１の上面の後部を構成している。パネル２，３は、電子機器１の上面が上述した楕円柱の外周面となるように湾曲している。２つのパネル２，３の左右方向の幅は電子機器１の幅に一致している。
【００１６】
図５に示すように、下ハウジング２９の前部２９ｂは電子機器１の下部１Ｂよりも前方に張り出し、電子機器１の上部１Ａの下面を構成している。下ハウジング２９の前部は、楕円柱状の上部１Ａの外周面の前部を構成するように湾曲している。すなわち、下ハウジング２９の前部２９ｂは前方且つ上方に向かうように湾曲している。この例では、下ハウジング２９の前縁とフロントパネル２の前縁との間には、左右方向において並ぶ２つのフロントバー８,９が配置されている（図１参照）。
【００１７】
図１及び図２に示すように、スライドカバー１０はフロントパネル２とリアパネル３との間に配置され、それらの間で左右方向にスライド可能となっている。この例のスライドカバー１０は、ユーザが手動で開閉できるカバーである。すなわち、ユーザはスライドカバー１０を開位置又は閉位置に向けて押して、スライドカバー１０を開けたり閉じたりできる。スライドカバー１０の前側と後側にそれぞれフロントパネル２とリアパネル３とを配置する本実施形態の構造によれば、ユーザがスライドカバー１０を開閉するときに電子機器１の上面の前部又は後部を押すことを防ぐことができる。そのため、スライドカバー１０の開閉時に電子機器１にモーメントが生じるためにその姿勢が変化することを、抑えることが可能となる。なお、この例の電子機器１の最前部には、スライドカバー１０を開けるためのボタンが設けられている。この例では、フロントバー９の端部９ａがボタンとして機能している。このボタンの操作によってもユーザはスライドカバー１０を開けることができる。
【００１８】
スライドカバー１０は閉位置にあるときに電子機器１の上面における右側又は左側のうちの一方側に位置している。この例では、図１に示すように、スライドカバー１０は閉位置にあるときに電子機器１の上面の右側に位置している。スライドカバー１０の右縁１０ｃは閉位置にあるときに、電子機器１の右端部に位置している。そのため、ユーザは指をスライドカバー１０の右縁１０ｃに引っ掛けて、スライドカバー１０を開位置に移動させることができる。図３に示すように、この例の電子機器１は、後において詳説するサイドパネル３１を有している。スライドカバー１０の右縁１０ｃは、サイドパネル３１の外周縁の上側に位置し、サイドパネル３１の外周縁に沿って湾曲している。
【００１９】
スライドカバー１０は開位置にあるときに電子機器１の上面における右側又は左側のうちの他方側に位置している。この例では、図４に示すように、スライドカバー１０は開位置にあるときに上面の左側に位置している。スライドカバー１０の左縁１０ｄは開位置にあるときに、電子機器１の左端部よりも右方向に位置している。上述したように、電子機器１は左側面を下側にして、立てた状態で使用することが可能となっている。スライドカバー１０が開位置にあるときにその左縁１０ｄは電子機器１の左端部よりも右方向に位置しているので、電子機器１を立てた状態でスライドカバー１０を開ける場合に、電子機器１が置かれる面にスライドカバー１０の左縁１０ｄが当ることを防ぐことができる。
【００２０】
図１及び図２に示すように、上ハウジング２１はアッパーパネル部２２を有している。アッパーパネル部２２はフロントパネル２とリアパネル３との間に位置している。スライドカバー１０はアッパーパネル部２２の上側で左右方向にスライド可能となっている。アッパーパネル部２２は、その右部又は左部のうちの一方に、上述のディスク収容部２２ａが形成される第１サイド部２２Ａを有している（図２参照）。第１サイド部２２Ａはスライドカバー１０が閉位置にあるときにスライドカバー１０によって覆われる。アッパーパネル部２２は、その右部又は左部のうちの他方に、第２サイド部２２Ｂを有している（図１参照）。この例のアッパーパネル部２２はその右部に第１サイド部２２Ａを有し、その左部に第２サイド部２２Ｂを有している。第２サイド部２２Ｂは板状であり、スライドカバー１０とともに電子機器１の上面を構成している。第２サイド部２２Ｂはスライドカバー１０が開位置にあるときにスライドカバー１０によって覆われる。
【００２１】
図５に示すように、スライドカバー１０はフロントパネル２と面一となっている。すなわち、スライドカバー１０の前部１０ａとフロントパネル２の後縁は略同一平面に位置し、なだらかに連なっている。同様に、スライドカバー１０はリアパネル３と面一となるように配置されている。すなわち、スライドカバー１０の後部１０ｂとリアパネル３の前縁は略同一平面に位置し、なだらかに連なっている。
【００２２】
図６及び図７に示すように、上ハウジング２１のアッパーパネル部２２の前縁２２ｃは、フロントパネル２の後縁よりも下方に位置している。また、上ハウジング２１のアッパーパネル部２２の後縁２２ｄは、リアパネル３の前縁よりも下方に位置している。これにより、スライドカバー１０が閉位置及び開位置のいずれにある場合でも、スライドカバー１０とパネル２，３とを面一に配置できる。アッパーパネル部２２の前縁２２ｃとフロントパネル２の後縁との間には隙間が設けられ、アッパーパネル部２２の後縁２２ｄとリアパネル３の前縁との間にも隙間が設けられている。これらの隙間に、スライドカバー１０の最前部（具体的には後述する前被ガイド部１１ａが形成された部分）と、最後部（具体的には後述する後被ガイド部１１ｂが形成された部分）とが入り込んでいる。
【００２３】
アッパーパネル部２２の上述した第２サイド部２２Ｂは、電子機器１の上面が上述した楕円柱の外周面となるように湾曲している。すなわち、第２サイド部２２Ｂは、スライドカバー１０に合わせて、第２サイド部２２Ｂの前縁及び後縁に比して前後方向の中央部が高くなるように湾曲している。第２サイド部２２Ｂをこのように上方に膨らむように湾曲させることにより、ハウジング２０の容量が小さくなることを抑えることができる。また、第２サイド部２２Ｂはスライドカバー１０に合わせて湾曲しているので、第２サイド部２２Ｂの前縁（すなわちアッパーパネル部２２の前縁２２ｃ）と第２サイド部２２Ｂの後縁（すなわちアッパーパネル部２２の後縁２２ｄ）がそれぞれパネル２，３の縁よりも下方に位置することに起因して、それらの間の凹みが目立つことを抑えることができる。その結果、電子機器１の上面のデザインの統一性を図ることができる。
【００２４】
図６に示すように、フロントパネル２は、その後縁に、斜め後方且つ下方に向いた斜面２ａを有している。すなわち、アッパーパネル部２２側に位置するフロントパネル２の端面は斜め後方且つ下方に向いている。その結果、ユーザが電子機器１を見た時に、フロントパネル２の端面が目立ちにくくなる。そのため、第２サイド部２２Ｂの前縁がフロントパネル２の後縁に対して下がっていることが目立ちにくくなる。
【００２５】
図７に示すように、リアパネル３は、その前縁に、斜め前方且つ下方に向いた斜面３ａを有している。すなわち、アッパーパネル部２２側のリアパネル３の端面は斜め前方且つ下方に向いている。その結果、ユーザが電子機器１を見た時に、リアパネル３の端面が目立ちにくくなる。そのため、第２サイド部２２Ｂの後縁がリアパネル３の前縁に対して下がっていることが目立ちにくくなる。
【００２６】
図５及び図６に示すように、上ハウジング２１は、その前部に、アッパーパネル部２２から前方に延びるフロントインナーパネル部２６を有している。フロントパネル２はフロントインナーパネル部２６の上面に取り付けられている。フロントインナーパネル部２６はフロントパネル２に合わせて湾曲し、電子機器１の前部はフロントパネル２とフロントインナーパネル部２６とで構成される二重構造を有している。これにより、斜め上側から作用する外力に対する電子機器１の前部の強度を増すことができる。
【００２７】
図７に示すように、上ハウジング２１は、その後部に、アッパーパネル部２２から後方に延びるリアインナーパネル部２７を有している。リアパネル３は、リアインナーパネル部２７の上面に取り付けられている。リアインナーパネル部２７はリアパネル３に合わせて湾曲し、電子機器１の後部はリアパネル３とリアインナーパネル部２７とで構成される二重構造を有している。これにより、斜め上側から作用する外力に対する電子機器１の後部の強度を増すことができる。
【００２８】
上述したように、フロントパネル２とリアパネル３は、電子機器１の上面が楕円柱の外周面を構成するように湾曲している。そして、フロントインナーパネル部２６とリアインナーパネル部２７はそれぞれフロントパネル２とリアパネル３とに合わせて湾曲している。これにより、ハウジング２０の容量の低下を抑えることができている。つまり、電子機器１の上面を湾曲させる形態としては、例えば図３の二点鎖線Ｌ３に示すように、上面の頂部Ｐ１と上面の前縁１ｂと上面の後縁１ｃとを通る円弧状に上面を湾曲させる形態が考えられる。電子機器１の上面（具体的には、フロントパネル２とリアパネル３）を楕円柱の外周面を構成するように湾曲させた場合には、図３に示すように、電子機器１の上面の前部及び後部は二点鎖線Ｌ３よりも膨らむ。その結果、ハウジング２０の前部と後部の容量の低下が抑えられている。
【００２９】
フロントインナーパネル部２６は、フロントパネル２との間に隙間を有する部分を有している。この例では、図６に示すように、フロントインナーパネル部２６は平らな後部２６ａを有し、後部２６ａとフロントパネル２との間に隙間が形成されている。後部２６ａにはハウジング２０の内側に繋がる通気穴２６ｂが形成されている。この例では、後部２６ａには左右方向に並ぶ複数の通気穴２６ｂが形成されている（図４参照）。上述したように、フロントパネル２の後縁とアッパーパネル部２２との間の隙間が形成されている。ハウジング２の内側には回路基板６に実装された電子部品を冷却するための冷却ファン（不図示）が配置されている。冷却ファンの駆動により、フロントパネル２の後縁とアッパーパネル部２２との間の隙間と、通気穴２６ｂとを流れる空気流Ｆ１が形成される。この例では、空気流Ｆ１は、フロントパネル２の後縁とアッパーパネル部２２との間には隙間と、通気穴２６ｂとを通ってハウジング２０内に向かう。上述したように、フロントパネル２は、その後縁に、斜面２ａを有している。そのため、空気流Ｆ１の円滑化を図ることができる。なお、通気穴２６ｂはフロントパネル２のための取付穴としても機能している。すなわち、フロントパネル２の下面に係合部２ｃが形成され、係合部２ｃは通気穴２６ｂの縁に引っ掛かっている。
【００３０】
リアインナーパネル部２７は、リアパネル３との間に隙間を有する部分を有している。この例では、図７に示すように、リアインナーパネル部２７は平らな前部２７ａを有し、前部２７ａとリアパネル３との間に隙間が形成されている。前部２７ａには、ハウジング２０の内側に繋がる通気穴２７ｂが形成されている。この例の前部２７ａには、左右方向に並ぶ複数の通気穴２７ｂが形成されている（図４参照）。上述したように、リアパネル３の前縁とアッパーパネル部２２との間には隙間が形成されている。上述の冷却ファンの駆動により、リアパネル３の前縁とアッパーパネル部２２との間には隙間と通気穴２７ｂとを流れる空気流Ｆ２が形成される。すなわち、この例では、空気流Ｆ２は、リアパネル３の前縁とアッパーパネル部２２との間の隙間と、通気穴２７ｂとを通ってハウジング２０内に向かう。上述したように、リアパネル３は、その前縁に、斜面３ａを有している。そのため、空気流Ｆ３の円滑化を図ることができる。なお、通気穴２７ｂも、通気穴２６ｂと同様に、リアパネル３のための取付穴としても機能している。すなわち、リアパネル３の下面に係合部３ｃが形成され、係合部３ｃは通気穴２７ｂに引っ掛かっている。
【００３１】
上述したように、スライドカバー１０はアッパーパネル部２２の上側で左右方向にスライド可能となっている。また、スライドカバー１０は前縁と後縁とに比してその前後方向の中央部が高くなるように湾曲している。そのため、スライドカバー１０をアッパーパネル部２２に取り付ける作業を行う際、作業者はスライドカバー１０を反対側に湾曲させることでスライドカバー１０の前縁と後縁との間隔が広げることができる。スライドカバー１０の最前部（後述する前被ガイド部１１ａ）と最後部（後述する後被ガイド部１１ｂ）は、アッパーパネル部２２の前縁と後縁とを掴むように、スライドカバー１０の前後方向の中央部に向かって屈曲している（図５参照）。スライドカバー１０のこのような取付構造によれば、取り付け作業を行う作業者は、スライドカバー１０の前縁と後縁との間隔が広がるようにスライドカバー１０を湾曲させることで、スライドカバー１０をアッパーパネル部２２に取り付けることが可能となる。
【００３２】
電子機器１の上面には、フロントパネル２に沿って形成され、スライドカバー１０をガイドする前ガイド部２２ｅが設けられている。この例では、図６に示すように、前ガイド部２２ｅはアッパーパネル部２２の前縁に形成され、スライドカバー１０を左右方向に案内する。また、電子機器１の上面には、リアパネル３に沿って形成され、スライドカバー１０をガイドする後ガイド部２２ｆが設けられている。この例では、図７に示すように、後ガイド部２２ｆはアッパーパネル部２２の後縁に形成され、スライドカバー１０を左右方向に案内する。スライドカバー１０は、図５に示すように、その前縁に、前ガイド部２２ｅに係合する前被ガイド部１１ａを有している。また、スライドカバー１０は、その後縁に後ガイド部２２ｆに係合する後被ガイド部１１ｂを有している。前被ガイド部１１ａと後被ガイド部１１ｂはスライドカバー１０の前後方向の中央部に向かって突出している。アッパーパネル部２２の前ガイド部２２ｅは前被ガイド部１１ａが嵌る溝であり、後ガイド部２２ｆは後被ガイド部１１ｂが嵌る溝である。スライドカバー１０は、前被ガイド部１１ａと後被ガイド部１１ｂとによって、アッパーパネル部２２を掴んでいる。
【００３３】
図６に示すように、フロントパネル２の後縁とアッパーパネル部２２の前縁２２ｃとの間には隙間が形成されている。スライドカバー１０の最前部はこの隙間を通ってフロントパネル２の最後部の下側に延びている（図５参照）。換言すると、フロントパネル２はスライドカバー１０の最前部を覆っている。スライドカバー１０は、フロントパネル２の下側に位置する部分に、上述の被ガイド部１１ａを有している。したがって、フロントパネル２によって、スライドカバー１０のガイド機構（すなわち上述の被ガイド部１１ａ及びガイド部２２ｃ）を保護することが可能となり、円滑なスライドが実現され易くなる。また、ガイド機構の露出を抑えることができる。特にこの例では、フロントパネル２は、その後縁に、斜面２ａを有している。そのため、フロントパネル２とアッパーパネル部２２の前縁２２ｃとの間の隙間を確保しながら、フロントパネル２とスライドカバー１０とが重なる領域、すなわちフロントパネル２によって保護できる範囲を拡大できる。
【００３４】
図７に示すように、リアパネル３の前縁とアッパーパネル部２２の後縁２２ｄとの間にも隙間が形成されている。スライドカバー１０の最後部はこの隙間を通ってリアパネル３の最前部の下側に延びている（図５参照）。換言すると、リアパネル３はスライドカバー１０の最後部を覆っている。スライドカバー１０は、リアパネル３の下側に位置する部分に、上述の被ガイド部１１ｂを有している。したがって、リアパネル３によって、スライドカバー１０のガイド機構（すなわち上述の被ガイド部１１ｂ及びガイド部２２ｆ）を保護することが可能となり、円滑なスライドが実現され易くなる。また、ガイド機構の露出を抑えることができる。特にこの例では、リアパネル３は、その前縁に、斜面３ａを有している。そのため、リアパネル３とアッパーパネル部２２の後縁２２ｄとの間の隙間を確保しながら、リアパネル２によって保護できる範囲を拡大できる。
【００３５】
図１及び図３に示すように、スライドカバー１０には複数の溝１０ｅが形成されている。これによりユーザがスライドカバー１０を動かすときにスライドカバー１０が受ける外力に対する強度を増すことができている。この例では、左右方向に延びる複数の溝１０ｅが前後方向において等間隔で並んでいる。特にこの例では溝１０ｅはスライドカバー１０の上面に形成され、溝１０ｅが形成される領域は、スライドカバー１０の前縁から後縁に及んでいる。
【００３６】
上述したように、アッパーパネル部２２は第２サイド部２２Ｂを有している。図１に示すように、第２サイド部２２Ｂにも複数の溝２２ｇが形成されている。これにより、電子機器１の上面の強度を増すことが可能となっている。この例では、溝２２ｇも、スライドカバー１０の溝１０ｅと同様に左右方向に延び、且つ第２サイド部２２Ｂの上面に形成されている。その結果、スライドカバー１０を左右方向にスライドさせるときに、スライドカバー１０の下面は隣接する２つの溝２２ｇの間の部分に接する。そのため、第２サイド部２２Ｂの上面にスライドカバー１０の移動による跡が形成される場合であっても、その跡が目立つことを抑えることができる。この例では溝２２ｇが形成される領域は、第２サイド部２２Ｂの前縁から後縁に及んでいる。その結果、ユーザがスライドカバー１０の上面のいずれの部分を押してスライドカバー１０を動かす場合であっても、それによる跡が目立つことを抑えることができる。なお、この例では、図４に示すように、第１サイド部２２Ａにも左右方向に延びる複数の溝２２ｈが形成されている。
【００３７】
上述したように、電子機器１はその左右の側面を構成するサイドパネル３１を有している（図３参照）。図８は右側のサイドパネル３１を取り外した状態を示す斜視図である。図９は図４に示すＩＸ−ＩＸ線での断面図である。
【００３８】
図８及び図９に示すように、ハウジング２０はサイドインナーパネル部２５を有している。この例では、サイドインナーパネル部２５は上ハウジング２１に形成されている。サイドインナーパネル部２５は、電子機器１の上部１Ａを構成しており、側面視で略楕円形を有している。サイドパネル３１はサイドインナーパネル部２５に取り付けられており、電子機器１の側部はサイドインナーパネル部２５とサイドパネル３１とで構成される二重構造を有している。これにより、ハウジング２０の強度を増すことができている。また、この例では、上ハウジング２１の右側に設けられた図８に示すサイドインナーパネル部２５には、ハードディスク装置１３を挿入するための開口が形成されており、サイドパネル３１はハードディスク装置１３を隠すためのパネルとしても機能している。なお、この例の電子機器１では、図９に示すように、上ハウジング２１と下ハウジング２９は螺子４１によって互いに固定されている。
【００３９】
図８に示すように、電子機器１の上部１Ａは、その右端部に、サイドパネル３１の外周縁を取り囲むフランジ部Ｒを有している。この例のフランジ部Ｒは、フロントパネル２の右縁２ｂと、スライドカバー１０の右縁１０ｃとリアパネル３の右縁３ｂと下ハウジング２９の右縁２９ａとで構成され、これらがサイドパネル３１の外周縁を取り囲んでいる（図３参照）。サイドパネル３１は電子機器１の上部１Ａを構成しており、楕円形である。フランジ部Ｒは楕円形の環状である。フランジ部Ｒは斜面Ｒａを有している。斜面Ｒａは、フランジ部Ｒの内方（軸線Ｃ１に向かう方向）且つ左右方向における電子機器の外方に向くように、傾斜している。また、斜面Ｒａはフランジ部Ｒの全周に形成されている。図９に示すように、フランジ部Ｒとサイドパネル３１の外周縁との間にはクリアランスが形成されている。すなわち、サイドパネル３１はフランジ部Ｒに比して僅かに小さなサイズを有している。斜面Ｒａは、側面視においてサイドパネル３１の外周縁と重なるように位置している。そのため、サイドパネル３１がフランジ部Ｒに対して位置ずれしている場合であっても、それらの位置ずれに起因する隙間を通してインナーパネル部２５が見えることを抑えることができる。その結果、それらの隙間が目立つことを抑えることが可能となる。
【００４０】
図９に示すように、ハウジング２０は通気穴２９ｃを有している。通気穴２９ｃはサイドパネル３１の外周部によって隠れる位置に形成されている。これにより、電子機器１の外観が通気穴２９ｃにより悪化することを抑えながら、フランジ部Ｒとサイドパネル３１の外周縁との間のクリアランスと、通気穴２９ｃとを通る空気流Ｆ３を形成できる。この例では、空気流Ｆ３は、上述の冷却ファンの駆動により、フランジ部Ｒとサイドパネル３１の外周縁との間のクリアランスと、通気穴２９ｃとを通してハウジング２０の内側に向かう。
【００４１】
この例では、図９に示すように、下ハウジング２９の上面には、サイドパネル３１の内側に位置するリブ２９ｄが形成されている。この例のリブ２９は、下ハウジング２９の前縁から後縁に向かって延びている（図８参照）。リブ２９には、当該リブ２９の延伸方向に並ぶ複数の通気穴２９ｃが形成されている。なお、この例のリブ２９は上ハウジング２１のサイドインナーパネル部２５よりも内側に位置している。
【００４２】
図８に示すように、サイドパネル３１は、その外周縁に、斜面３１ａを有している。図９に示すように、斜面３１ａはフランジ部Ｒの斜面Ｒａに対向している。すなわち、斜面３１ａはハウジング２０に向き且つサイドパネル３１の外周縁の外方に向くように向いている。そして、サイドパネル３１の斜面３１ａとフランジ部Ｒの斜面Ｒａとの間には、通気穴２９ｃに向かって概ね直線的に延びる空気流路が形成される。その結果、空気流Ｆ３の円滑化を図ることができる。
【００４３】
なお、ここでは図８及び図９を参照して電子機器１の右側の構造を説明したが、上ハウジング２１のインナーパネル部２５や、下ハウジング２９の通気穴２９ｃは、電子機器１の左側にも形成されている。
【００４４】
図８に示すように、サイドパネル３１は、サイドインナーパネル部２５と対向する面に、複数（この例では７つ）の係合部３１ｄを有している。一方、サイドインナーパネル部２５は、係合部３１ｄが引っ掛かる被係合部２５ａを有している。この例では、複数の係合部３１ｄの端部は同一方向（この例では前方）に屈曲している。そのため、サイドパネル３１の取り付け作業では、サイドインナーパネル部２５に対してサイドパネル３１を平行に配置し、その後に、サイドパネル３１を前方に移動させることにより、サイドパネル３１の係合部３１ｄをサイドインナーパネル部２５の被係合部２５ａに引っ掛けることができる。また、サイドパネル３１は、突起３１ｅを有している。一方、サイドインナーパネル部２５にはリブ２５ｂが形成されている。サイドパネル３１の取り付け作業においてサイドパネル３１を前方に移動させるとき、突起３１ｅはリブ２５ｂを乗り越えて前方に移動する。その結果、サイドパネル３１がユーザの意図無く外れることを抑えることができる。なお、突起３１ｅがリブ２５ｂを乗り越えやすくするために、突起３１ｅは、その外面（リブ２５ｂに当る面）に斜面を有している。
【００４５】
以上説明したように、スライドカバー１０は、その前縁及び後縁よりも前後方向の中央部の位置が高くなるように湾曲している。光ディスクを配置するためのディスク収容部２２ａは、閉位置にあるスライドカバー１０によって覆われる。ディスク収容部２２ａには、光ディスクの中心穴に嵌められ光ディスクを回転させる回転駆動部７ａが設けられている。この構造によれば、電子機器に光ディスクを搬送するローディング機構を要しないので、コストの低減を図ることができる。また、回転駆動部７ａの高さを増すことができるので、光ディスクのディスク収容部２２ａの設置作業を容易化できる。
【００４６】
また、スライドカバー１０は、当該スライドカバー１０の一方側（以上の例では、前側）に設けられるフロントパネル２と、当該スライドカバー１０の他方側（以上の例では後側）に設けられるリアパネル３との間でスライド可能となっている。そして、電子機器１の上面には、フロントパネル２に沿って形成され、スライドカバー１０をガイドするガイド部２２ｅと、リアパネル３に沿って形成されスライドカバー１０をガイドするガイド部２２ｆと、が設けられている。この構造によれば、ユーザが電子機器１を見たときにガイド部２２ｅ，２２ｆが目立つことを、抑えることができる。
【００４７】
また、電子機器１は、その上面の前部を構成するフロントパネル２と、上面の後部を構成するリアパネル３とを備え、スライドカバー１０はフロントパネル２とリアパネル３との間で左右方向にスライドしている。この構造によれば、ユーザがスライドカバー１０を動かすときに、電子機器の姿勢が変化することを抑えることができる。
【００４８】
フロントパネル２とスライドカバー１０は面一となるように配置され、フロントパネル２は、当該フロントパネル２の後縁に、斜め後方且つ下方に向いた斜面２ａを有している。この構造によれば、フロントパネル２の後縁と上ハウジング２１との間の隙間が目立つことを抑えることができる。
【００４９】
リアパネル３とスライドカバー１０は面一となるように配置され、リアパネル３は、当該リアパネル３の前縁に、斜め前方且つ下方に向いた斜面３ａを有している。この構造によれば、リアパネル３の前縁と上ハウジング２１との間の隙間が目立つことを抑えることができる。
【００５０】
電子機器１の上面は、その前縁１ｂ及び後縁１ｃよりも前後方向の中央部の位置が高くなるように湾曲している。また、電子機器１は、スライドカバー１０の前方に位置し、スライドカバー１０とともに電子機器１の湾曲した上面を構成するフロントパネル２と、フロントパネル２が取り付けられる上面を有するフロントインナーパネル部２６を有するハウジング２０を備えている。そして、フロントインナーパネル部２６はフロントパネル２に合わせて湾曲している。この構造によれば、電子機器１の前部が二重構造を有することとなり、当該前部の強度を増すことができる。
【００５１】
ハウジング２０は、スライドカバー１０が上側に配置されるアッパーパネル部２２を備えている。フロントインナーパネル部２６はアッパーパネル部２２から前方に延びている。アッパーパネル部２２の前縁とフロントパネル２の後縁との間には隙間が形成され、フロントインナーパネル部２６はフロントパネル２との間に隙間を有する部分（後部２６ａ）を含んでいる。フロントインナーパネル部２６の後部２６ａにはハウジング２０の内側に繋がる通気穴２６ｂが形成されている。これによれば、フロントパネル２によって通気穴２６ｂが覆われるため、電子機器１の外観が通気穴２６ｂの存在により悪化することを抑えながら、アッパーパネル部２２の前縁とフロントパネル２の後縁との間の隙間を空気流路として機能させることができる。
【００５２】
電子機器１は、リアパネル３が取り付けられる上面を有するリアインナーパネル部２７を有するハウジング２０を備えている。リアインナーパネル部２７はリアパネル３に合わせて湾曲している。この構造によれば、電子機器１の後部が二重構造を有することとなり、当該後部の強度を増すことができる。
【００５３】
ハウジング２０は、スライドカバー１０が上側に配置されるアッパーパネル部２２を備え、リアインナーパネル部２７はアッパーパネル部２２から後方に延びており、アッパーパネル部２２の後縁とリアパネル３の前縁との間には隙間が形成され、リアインナーパネル部２７はリアパネル３との間に隙間を有する部分（前部２７ａ）を含み、リアインナーパネル部２７の前部２７ａにはハウジング２０の内側に繋がる通気穴２７ｂが形成されている。これによれば、通気穴２７ｂの存在により、電子機器１の外観が悪化することを抑えることができる。
【００５４】
フロントパネル２とリアパネル３との間に位置するアッパーパネル部２２を備えている。アッパーパネル部２２は、スライドカバー１０が開位置にあるときに当該スライドカバー１０によって覆われ、スライドカバー１０に合わせて湾曲した板状の第２サイド部２２Ｂを有し、第２サイド部２２Ｂの上面には左右方向に延びる複数の溝２２ｇが形成されている。これによれば、第２サイド部２２Ｂの上面にスライドカバー１０の移動による跡が形成される場合であっても、その跡が目立つことを抑えることができる。
【００５５】
なお、本発明は以上説明した電子機器１に限られず、種々の変形がなされてよい。
【００５６】
例えば、スライドカバー１０に形成された溝１０ｅとアッパーパネル部２２に形成された溝２２ｇは必ずしも無くてもよい。
【００５７】
また、サイドパネル３１は必ずしも無くてもよい。その場合、上ハウジング２１又は下ハウジング２９に、電子機器１の側面を構成する部分が設けられてもよい。
【００５８】
電子機器１では、スライドカバー１０の被ガイド部１１ａ，１１ｂはアッパーパネル部２２の前縁と後縁とを掴むように構成されていた。しかしながら、スライドカバー１０の取付構造は必ずしもこれに限られない。例えば、スライドカバー１０の被ガイド部１１ａ，１１ｂはそれぞれ前方及び後方に突出してもよい。そして、被ガイド部１１ａ，１１ｂがそれぞれフロントパネル２とリアパネル３とに引っ掛かることによって、スライドカバー１０は電子機器１に取り付けられてもよい。
【００５９】
また、電子機器１の上面は楕円柱の外周面を構成するように湾曲するのではなく、円柱の外周面の一部を構成するように湾曲してもよい。
【００６０】
スライドカバー１０は電子機器１の端部（以上の例では左端部）を越える位置までスライド可能であってもよい。
【００６１】
また、フロントパネル２とリアパネル３の双方又はいずれか一方は、必ずしも設けられていなくてもよい。この場合、上ハウジング２１の前部（すなわちフロントインナーパネル部２６）又は後部（すなわちリアインナーパネル部２７）が電子機器１の上面を構成してもよい。
【００６２】
また、電子機器１の最前部に設けられたフロントバー８，９は必ずしも無くてもよい。
【図１】
2013154041.tif 000003
【図２】
2013154041.tif 000004
【図３】
2013154041.tif 000005
【図４】
2013154041.tif 000006
【図５】
2013154041.tif 000007
【図６】
2013154041.tif 000008
【図７】
2013154041.tif 000009
【図８】
2013154041.tif 000010
【図９】
2013154041.tif 000011
【国際調査報告】
2013154041.tif 000012
2013154041.tif 000013